(57)【要約】【課題】ミラーの取付け強度が強く、患部を見やすいようにミラーの取付け角度を容易に変更することが容易であるハンドピース用ミラーアタッチメントを提供する。【解決手段】歯科用のハンドピース３であって、略直線状のハンドル５の先端に略直角に円筒状のヘッド７が設けられるものに対して取付けられるミラーアタッチメントである。ハンドル５の前部を抱持して装着部９により装着される。この装着部９に一体的に設けられ、記ヘッドの側面に沿って円弧状にスライドベース１１が形成される。このスライドベース１１上のスライダー１３に、ハンドピース３の作業先端を映すミラー１５が設けられる。このミラー１５のスライド位置はロック手段１７によりロックされる。【選択図】図１
2010148531.tif 000002
【特許請求の範囲】
【請求項１】
歯科用のハンドピースであって、略直線状のハンドルの先端に略直角にヘッドが設けられるものに対して取付けられるミラーアタッチメントにおいて、前記ヘッドの側面に沿って円弧状に形成されるスライドベースと、このスライドベース上のスライダーに設けられ前記ハンドピースの作業先端を映すミラーと、このミラーのスライド位置をロックするロック手段と、を有することを特徴とするハンドピース用ミラーアタッチメント。
【請求項２】
前記ヘッドは、円筒状をなし、前記スライドベースは、前記ハンドルの前部を抱持して装着される装着部に一体的に設けられ前記ヘッドの側面に沿って円弧状に形成されることを特徴とする請求項１に記載のハンドピース用ミラーアタッチメント。
【請求項３】
前記装着部は、前記ハンドルの円筒状の外形を抱持する略円筒状空洞の断面を構成する板バネを有してなり、前記スライドベースは、前記ヘッドの側面に円弧状に沿う板状部分と、この板状部分の両側面に形成されるガイド溝と、を有してなり、前記スライダーは、前記板状部分に跨るコの字状断面を有し、このコの字状の両端に前記ガイド溝に嵌合するガイド突起を有してなり、前記ロック手段は、前記スライドベースの上表面に前記円弧の方向に形成される複数の凹部と、前記スライダーに設けられる片持ち状の板バネと、コの板バネの先端に形成され前記凹部に嵌合する突起と、を有してなることを特徴とする請求項１、又は２に記載のハンドピース用ミラーアタッチメント。
【発明の詳細な説明】
【技術分野】
【０００１】
この発明は、歯科用のハンドピースであって、略直線状のハンドルの先端に略直角に円筒状のヘッドが設けられるものに対して取付けられるミラーアタッチメントの構造に関する。
【背景技術】
【０００２】
歯科用ハンドピースには、歯科用エアータービン、歯科用エンジンなどがあり、用途に応じて使い分けされる。一般的な形状は、略直線状のハンドルの先端に略直角に、例えば円筒状のヘッドを有する。
ハンドルは、略直線状ではあるものの、作業しやすいように一定の角度で屈曲したものが多い。これらのハンドピースのヘッドの先端には、例えばダイヤモンドバー、ラウンドバーなどと呼ばれる棒状のものが設けられ、いろいろの治療に用いられる。
【０００３】
エアータービンは、ヘッドの内部に圧縮空気によって回転するタービンが設けられ、ヘッドの先端に突出するスピンドルが高速で回転する。このスピンドルに、前記ダイヤモンドバー、ラウンドバーなどが取付けられる。なお、歯科用エンジンはモーターで回転する。
ハンドピースを用いた治療において、器具が同時に複数入らない狭い部位など、治療者が直視できない患部は歯科用ミラーで確認し、歯科用ミラーを外した後に、確認した患部を予測しながらハンドピースを用いて形成する。そして、再度、歯科用ミラーで不完全な形成部分を確認し、歯科用ミラーを外した後に、確認した患部を予測しながら、再度ハンドピースを用いる。さらに、再々度、歯科用ミラーで形成部分を確認する、という作業を繰り返す。
【０００４】
このような患部を直視できない作業の困難さを軽減するために、下記の特許文献１にはハンドピースのヘッドの部分にミラーが取付けられたものが記載される。
【特許文献１】実開昭61-127708
【発明の開示】
【発明が解決しようとする課題】
【０００５】
しかしながら、特許文献１は、患部を見やすいようにミラーの取付け角度を変更することが実際上は困難である。すなわち、特許文献１のミラーは、「球状の連結体」を用いて「上下・左右に可動」とされるが、治療者の見やすい角度へ変更するには、上下・左右にミラーをいわば２軸的に動かして、適切な角度を探さなくてはならない。しかし探すのは難しく、取付け角度を変更すると、実際には患部を見失ってしまい、変更が困難である。
また、特許文献１のミラーは、「球状の連結体」を用いて連結されているので、口の中で患者の頬の内側に押され、容易に、角度が誤って変わってしまう。
【０００６】
この発明は、以上の問題点を解決するために、患部を見やすいようにミラーの取付け角度を容易に変更することが容易であり、角度が誤って変わりにくいハンドピース用ミラーアタッチメントを提供することを目的とする。
【課題を解決するための手段】
【０００７】
以上の課題を解決するために、第一発明は、歯科用のハンドピースであって、略直線状のハンドルの先端に略直角にヘッドが設けられるものに対して取付けられるミラーアタッチメントにおいて、前記ヘッドの側面に沿って円弧状に形成されるスライドベースと、このスライドベース上のスライダーに設けられ前記ハンドピースの作業先端を映すミラーと、このミラーのスライド位置をロックするロック手段と、を有することを特徴とするハンドピース用ミラーアタッチメントである。
第二発明は、前記ヘッドは、円筒状をなし、前記スライドベースは、前記ハンドルの前部を抱持して装着される装着部に一体的に設けられ、前記ヘッドの側面に沿って円弧状に形成されることを特徴とするハンドピース用ミラーアタッチメントである。
第三発明は、前記装着部は、前記ハンドルの円筒状の外形を抱持する略円筒状空洞の断面を構成する板バネを有してなり、前記スライドベースは、前記ヘッドの側面に円弧状に沿う板状部分と、この板状部分の両側面に形成されるガイド溝と、を有してなり、前記スライダーは、前記板状部分に跨るコの字状断面を有し、このコの字状の両端に前記ガイド溝に嵌合するガイド突起を有してなり、前記ロック手段は、前記スライドベースの上表面に前記円弧の方向に形成される複数の凹部と、前記スライダーに設けられる片持ち状の板バネと、コの板バネの先端に形成され前記凹部に嵌合する突起と、を有してなることを特徴とする請求項１に記載のハンドピース用ミラーアタッチメントである。
【発明の効果】
【０００８】
第一、第二、又は第三発明によれば、以下の効果を有する。すなわち、ハンドピースを用いた通常の治療では、円筒状のヘッドの中心軸はほぼ歯軸に対して垂直にしたまま、ハンドルを水平面内で回動させる治療することが多い。（図４、図５）。そして、第一、第二、又は第三発明は、ヘッドの側面に沿って円弧状に形成されるスラドベースの上をスライドするスライダーにミラーが設けられているので、ミラーは、点としての患部に対する姿勢を一定に保ったまま、ヘッド周囲の円弧上を移動する。このため、患部の様子をミラーを通して見ることができる目の位置は、ほぼ同じ方向にできる（図５参照）。そして、歯列の長さはそれほど大きくなく、ミラーの移動距離も小さいので、目の位置は、ほぼ同じ位置にできる。よって、治療者は、楽な定位置で、治療を続けることができる。
そして、ミラーを円弧上で移動することで、いわば１軸的に動かすことで、適切な角度を容易に探すことができる。したがって角度を変更しても、患部を見失いにくく、変更は容易である。
【０００９】
また、ミラーは、円弧状に形成されるスラドベースの上をスライドして角度が変更されるが、このミラーは患者の頬の内側に押されても、押される方向はスラドベースに略直角な方向であることが多く、スラドベースに沿った方向であることは少ない。よって、容易に角度が誤って変わってしまうことが、少ない。
【００１０】
第二発明によれば、さらに、既存のハンドピースに装着して使用できる。また、装着は、装着部によりハンドルの前部を抱持してなされ、この装着部に一体的に設けられたスライドベースが、ヘッドの側面に沿って円弧状に形成されるので、装着強度は高い。
第三発明によれば、さらに、装着部は、前記ハンドルの円筒状の外形を抱持する略円筒状空洞の断面を構成する板バネを有してなるので、装着をワンタッチで行える。
また、スライドベースは、ヘッドの側面に円弧状に沿う板状部分と、この板状部分の両側面に形成されるガイド溝と、を有してなり、スライダーは、板状部分に跨るコの字状断面を有し、このコの字状の両端に、ガイド溝に嵌合するガイド突起を有してなり、シンプルなスライド機構を得ることができる。
【００１１】
また、ロック手段は、スライドベースの上表面に、円弧の方向に形成される複数の凹部と、スライダーに設けられる片持ち状の板バネと、この板バネの先端に形成され、凹部に嵌合する突起と、を有してなることで、シンプルで確実なロック機構を得ることができる。
【発明を実施するための最良の形態】
【００１２】
この発明の実施形態を、図１から図４に示す。
［全体概略］
この実施形態に係るハンドピース用ミラーアタッチメント１は、歯科用のハンドピース３であって、略直線状のハンドル５の先端に略直角に円筒状のヘッド７が設けられるものに対して取付けられる。図においてハンドピース３は、エアータービンである。エアータービンのハンドル５は略円筒断面を有する。
【００１３】
このミラーアタッチメントにおいて、ハンドル５への装着を行う装着部９は、ハンドル５の前部でヘッド７の近くを抱持する構造を有する。装着部９にスライドベース１１が一体的に設けられ、ヘッド７の側面に沿って円弧状に形成される。このスライドベース１１上に、スライダー１３がスライド可能に設けられる。このスライダー１３には、ハンドピース３の作業先端を映すミラー１５が一体的に設けられる。このミラー１５のスライド位置は、ロック手段１７によりロックされる。
【００１４】
［装着部９］
装着部９は、ステンレスなど繰り返し滅菌可能な材質で製作され、ハンドル５の円筒状の外形を収納する略半円筒状の空洞１９を有する。この空洞１９の略半円筒状の縁部の左右から、板バネ２１が延設される。この板バネ２１は、空洞１９の内部にも連続し、ハンドル５を抱持する略円筒状をなし、略円筒状の一部に形成された切欠２３から、弾性によりハンドル５を受け入れ、抱持する。
【００１５】
［スライドベース１１］
スライドベース１１は、ステンレス製で、装着部９に一体的に設けられる。そして、ヘッド７の側面に円弧状に沿う板状部分２５となる。この板状部分２５の両側面、すなわち両側の板厚部分２７には、ガイド溝２９が形成される。よって、ガイド溝２９は円弧状に延びる。ガイド溝２９の断面は半円形である。
ミラーの鏡面は、水が付くと見えないので、親水性にするのが望ましい。例えば、光触媒の材質やシート等を利用する。
【００１６】
［スライダー１３］
スライダー１３は、スライドベース１１の板状部分２５に跨るコの字状断面を有する。このコの字状の両端に、ガイド突起３１としての長い突条３３を有する。この突条３３の断面は半円形であり、半円形のガイド溝２９に、長手方向にわたって、しっかり嵌合する。スライダー１３の表面には、爪３４が形成され、指で爪３４を引っかけてスライダー１３をスライドさせる。
【００１７】
［ミラー１５］
スライダー１３には、ミラー１５が一体的に設けられる。このミラー１５の傾き状態は、いろいろの傾きを有するハンドピース用ミラーアタッチメント１を準備して対応する。この実施形態の図のハンドピース用ミラーアタッチメント１では、標準的な身長を有する治療者が、ハンドピース用ミラーアタッチメント１を装着したハンドピース３を右手に持ち、楽な姿勢で、患部３５を治療している状態で、患部３５を左方向から見たときに、図３のように、患部３５が観察できる傾き状態とする。
すなわち、この傾き状態は、ミラー１５の法線は、すなわちミラー１５の鏡面（図２中では鏡面は裏側になる）から直角に伸びる直線は、ヘッド７の一定距離前方に位置する患部より、図２（Ｂ）において、やや左にそれる。
【００１８】
また、一般的な治療状況で、ミラー１５の中心部分のヘッド７に対する使用角度は、図２に示すようにヘッド７の後方から見た状態で、右水平位置を基準に４０度から１４０度であることが、実験により確認された。よって、スライドベース１１が設けられる範囲も、同４０度から１４０度をカバーすることが望ましい。この実施形態では、うち４０（θ1）度から８０（θ2）度の範囲で設けられている。
【００１９】
［ロック手段１７］
ロック手段１７は凹部３７と、ロック板バネ３９の突起４１と、からなる。すなわち、スライドベース１１の円弧状の上表面には、円弧方向に複数の凹部３７が形成される。この凹部３７は半球状である。他方、スライダー１３には、切欠部分４３が形成され、この切欠部分４３に片持ち状のロック板バネ３９が設けられる。この板バネ２１の先端に、半球状の突起４１が形成され、凹部３７に嵌合する。この嵌合は、ロック板バネ３９の弾性によりしっかりと行われる。
【００２０】
「実施形態の効果」
（１）この実施形態によれば、図３に示すように、標準的な身長を有する治療者が、この実施形態のハンドピース用ミラーアタッチメント１を装着したハンドピース３を右手に持ち、楽な姿勢で、下あご右奥の歯の患部３５を治療している状態で、患部３５を左方向から見たときに、患部３５が観察できる。よって、患部３５が歯４５などに隠れている状態でも、ミラー１５を介して患部３５を観察できる。
【００２１】
（２）さらに、装着部９が、ハンドル５の前部を抱持して、面的に装着される。のみならず、ヘッド７の側面に沿って円弧状に形成されるスライドベース１１は、ヘッド７の側面に、面的に接する。よって、取付け強度が強く、頬から受ける圧力に耐えられる。
また、ミラー１５は、円弧状に形成されるスラドベース１１の上をスライドして角度が変更されるが、このミラー１５は患者の頬の内側に押されても、押される方向はスラドベース１１に略直角な方向であることが多く、スラドベース１１に沿った方向であることは少ない。よって、容易に角度が誤って変わってしまうことが、少ない。
【００２２】
（３）また、図４に示すように、ハンドピース３を用いた通常の治療では、円筒状のヘッド７の中心軸はほぼ歯軸に対して垂直にしたまま、ハンドル５を水平面内で回動させる治療することが多い（図５（Ｂ））。図４（Ａ）のように下あごの歯の治療をする場合のみならず、図４（Ｂ）のように上あごの歯の治療をする場合でも、治療者の姿勢を一定に保つことが良い治療には欠かせないので、ハンドピース３のヘッド７の中心軸は鉛直である。
そして、ヘッド７の側面に沿って円弧状に形成されるスラドベース１１の上をスライドするスライダー１３にミラー１５が設けられているので、ミラー１５は、点としての患部に対する姿勢を一定に保ったまま、ヘッド７周囲の円弧上を移動して、角度を変更することができる。
すなわち、図５（Ａ）に示すように、歯列Ｔの奥の歯を治療する場合（同図上方）と、歯列Ｔの前の歯を治療する場合（同図下方）とでは、ミラー１５の角度を変更する必要があるが、この角度の変更は、スライダー１３が円弧状にスライドすることで行われる。よって、ミラー１５を円弧上でスライド移動することで、いわば１軸的に動かすことで、適切な角度を容易に探すことができる。したがって角度を変更しても、患部を見失いにくく、変更は容易である。
さらに、図５（Ａ）の治療する歯の位置が異なる二つの場合において、ミラー１５の角度を変更することで、患部の様子をミラー１５を通して見ることができる目の位置は、ほぼ同じ方向（Ｓ１、Ｓ２）にできる。そして、歯列Ｔの長さはそれほど大きくなく、ミラー１５の移動距離も小さいので、目の位置は、ほぼ同じ位置にできる。よって、治療者は、楽な定位置で、治療を続けることができる。
【００２３】
（４）さらに、装着部９は、前記ハンドル５の円筒状の外形を抱持する略円筒状空洞の断面を構成する板バネ２１を有してなるので、装着をワンタッチで行える。
（５）また、スライドベース１１は、ヘッド７の側面に円弧状に沿う板状部分２５と、この板状部分２５の両側面に形成されるガイド溝２９と、を有してなり、スライダー１３は、板状部分２５に跨るコの字状断面を有し、このコの字状の両端に、ガイド溝２９に嵌合するガイド突起３１を有してなり、シンプルなスライド機構を得ることができる。
【００２４】
（５）また、ロック手段１７は、スライドベース１１の上表面に、円弧の方向に形成される複数の凹部３７と、スライダー１３に設けられる片持ち状の板バネ２１と、この板バネ２１の先端に形成され、凹部３７に嵌合する突起４１と、を有してなることで、シンプルで確実なロック機構を得ることができる。
（６）特許文献１のように、ミラー１５がヘッド７に直接に設けられると、視野が狭く、切削部分が見にくい。しかし、この実施形態の図１に示すように、ミラー１５とスライダー１３の間の、いわば首にも特徴を設け、この首によってミラー１５と患部に適度な距離を保てるようにすることで、視野が広くなる。見やすいように適度な角度も付けてある。
【００２５】
「他の実施形態」
以上の実施形態では、ハンドピース用ミラーアタッチメントは、既存のハンドピース３へ装着部９によりスライドベース１１などが後付で取付けられるものであったが、他の実施形態では、専用のハンドピースを製造し、ヘッドにはじめからスライドベース１１が一体化して形成されていてもよい。その場合には、スライドベース１１に対してスライダー１３がワンタッチで着脱される。
以上の実施形態では、ハンドピース３はエアータービンとして説明したが、他の実施形態では、ドリル、コントランドなどと呼ばれる他のハンドピース３であっても、略直線状のハンドル５の先端に略直角に円筒状のヘッド７が設けられるものに対しては、本発明が実施できる。
以上の実施形態では、ハンドピース３のヘッド７は、円筒状をなすものであったが、他の実施形態では、円筒状に限らず、角が丸くなりやや円筒に近い直方体などの他の形状でもかまわない。
【図面の簡単な説明】
【００２６】
【図１】この発明の一実施形態に係るハンドピース用ミラーアタッチメントを示すもので、（Ａ）は装着状態を右斜め後方から見た斜視図、（Ｂ）は（Ａ）のＢ方向から見たスライドベースとのスライダーの分解斜視図、（Ｃ）は（Ａ）のＣ断面を示す断面図、（Ｄ）は（Ａ）のＤ−Ｄ断面を示す断面図である。
【図２】（Ａ）（Ｂ）（Ｃ）は図１のハンドピース用ミラーアタッチメントの動きを示すため、装着状態を後方から見た動きの連続図である。
【図３】図１のハンドピース用ミラーアタッチメントの作用を示すため、装着したハンドピースによる治療状態を示す斜視図である。
【図４】図１のハンドピース用ミラーアタッチメントを装着したハンドピースを用いて、治療を行う様子を示すもので、（Ａ）は下あごの歯の治療を、（Ｂ）は上あごの歯の治療を示す。
【図５】図１のハンドピース用ミラーアタッチメントの作用を示すもので、（Ａ）は奥の歯と、前の歯を治療するときのミラーの働きを示す略平面図、（Ｂ）は（Ａ）を水平方向手前から見た図である。
【符号の説明】
【００２７】
１…ハンドピース用ミラーアタッチメント、３…ハンドピース、５…ハンドル、７…ヘッド、９…装着部、１１…スライドベース、１３…スライダー、１５…ミラー、１７…ロック手段、１９…空洞、２１…板バネ、２３…切欠、２５…板状部分、２７…板厚部分、２９…ガイド溝、３１…ガイド突起、３３…突条、３５…患部、３７…凹部、３９…ロック板バネ、４１…突起、４３…切欠部分。
【図１】
2010148531.tif 000003
【図２】
2010148531.tif 000004
【図３】
2010148531.tif 000005
【図５】
2010148531.tif 000006
【図４】
2010148531.tif 000007